(57)【要約】【課題】浴室用空調装置から結露した水滴が落下することを防止する。【解決手段】  浴室換気装置１において、浴室２に臨む吸込口２５から空気を吸い込んで浴室外側に接続される吹出口２２から空気を浴室外に送風する送風路２４を本体ケース１６に形成し、送風路２４に送風ファン１７を設置し、本体ケース１６の浴室側に、吸込口２２に通ずる吸込口３３を備えたフロントパネル１５を設置するようになっており、フロントパネル１５に、第１開口部である吸込口３３を開閉可能な開閉手段としての開閉板３５を設けた。【選択図】  図１
2005172320.tif 000002
【特許請求の範囲】
【請求項１】
浴室から空気を吸い込んで浴室外に送風する送風路を備えた本体ケースの浴室側に、前記浴室に通ずる第１開口部を備えた浴室用空調装置において、
前記第１開口部を開閉可能な開閉手段を設けたことを特徴とする浴室用空調装置。
【請求項２】
請求項１の浴室用空調装置において、
前記本体ケースに、前記浴室から吸い込んだ空気を再び浴室側に送風可能な循環風路を形成し、前記循環風路に通ずる第２開口部を設け、前記開閉手段を、前記第１開口部と前記第２開口部とをそれぞれ独立に若しくは両者同時に開閉可能としたことを特徴とする浴室用空調装置。
【請求項３】
請求項２の浴室用空調装置において、
スチームを噴出可能なノズルを設けたものであることを特徴とする浴室用空調装置。
【請求項４】
請求項１乃至請求項３の何れかの浴室用空調装置において、
前記開閉手段は、所定の状態にあるときに、前記第１，第２の開口部を閉鎖することを特徴とする浴室用空調装置。
【請求項５】
請求項４の浴室用空調装置において、
前記開閉手段は、第１開口部若しくは第２開口部を開閉する開閉部材と、該開閉部材の開閉動作を行う開閉機構と、該開閉機構を駆動する駆動源と、前記本体ケース内に空気を吸い込む送風機が停止しているときに、前記駆動源を駆動させて前記蓋体により前記第１開口部若しくは前記第２開口部を閉鎖する制御手段とを備えていることを特徴とする浴室用空調装置。
【請求項６】
請求項１乃至請求項５の何れかの浴室用空調装置において、
前記浴室内にスチームを噴出可能なスチーム発生装置を前記空調装置と一体若しくは別体に設け、前記スチーム発生装置の作動に伴って、前記開閉手段を制御する制御手段を備えたことを特徴とする浴室用空調装置。
【発明の詳細な説明】
【技術分野】
【０００１】
本発明は、浴室用空調装置に関し、更に詳しくは、浴室内への結露の滴下を防止した浴室用空調装置に関する。
【背景技術】
【０００２】
従来、浴室用空調装置としては、各種の公知のものがある。例えば、特許文献１のものは、浴室の天井に設置される浴室換気装置であるが、浴室内から空気を吸い込んで送風口からダクトを介して建物外に排気するものである。この浴室換気装置の本体ケースの内部には、浴室内から建物外に空気を排気するための送風路が形成されており、この送風路内に送風機が設置されている。
【０００３】
本体ケースの浴室に臨む底部には、送風路の一端部となって浴室内から空気を吸い込む吸込口が開口され、本体ケースの側壁部には、送風路の他端部となって吸い込んだ空気を排出する送風口が開口されている。
【０００４】
本体ケースの吸込口側であって浴室の天井部側には、本体ケースの吸込口を装飾するフロントパネルが着脱可能に設けられており、フロントパネルには吸込口に通ずる細長い通気口が多数開口されており、浴室内から本体ケースの吸込口が見えないようになっている。
【０００５】
この浴室換気装置には、本体ケースの底部に、吸込口と別に開口部を形成し、この開口部と送風路とを接続して循環風路を設け、循環風路にヒーターを設置すると共に、送風路と循環風路の接続部分にダンパーを設け、ダンパーを開閉可能に動作させて、送風機からの空気をダンパーにより循環風路に戻すことができるようになっている。循環風路内にはスチームを発生させるノズルが設置され、ダンパーにより送風機からの空気を循環風路に導くと共に、ノズルからスチームミストを発生させ、浴室内においてスチーム浴を享受できるようにしている。前記フロントパネルには、循環風路の開口部を装飾するフィンを備えた細長い吹出口が多数開口されている。
【特許文献１】特開２００３−２０７１７６号公報
【発明の開示】
【発明が解決しようとする課題】
【０００６】
しかしながら、上記の浴室換気装置の場合、送風機を動作させない状態で浴室を使用すると、発生した湯気が機器内部に結露し、この後に浴室換気装置の送風機を回転させると、送風機の動作により送風機のファンや送風路の内壁の水滴が浴室内に噴き出して、使用者に降りかかるということも考慮しておくのが望ましい。
【０００７】
特に、上述のスチーム浴機能付きの浴室換気装置の場合には、スチーム機能を用いた後には、フロントパネルの循環空気の吹出口のフィンから水滴が落下しやすくなるので、この点を改良する必要があった。
【課題を解決するための手段】
【０００８】
上記課題を解決するために、本願の第１の浴室用空調装置は、浴室から空気を吸い込んで浴室外に送風する送風路を備えた本体ケースの浴室側に、前記浴室に通ずる第１開口部を備えた浴室用空調装置において、前記第１開口部を開閉可能な開閉手段を設けたことを特徴とする。
本願の第２の浴室用空調装置は、前記第１の浴室用空調装置において、前記本体ケースに、前記浴室から吸い込んだ空気を再び浴室側に送風可能な循環風路を形成し、前記循環風路に通ずる第２開口部を設け、前記開閉手段を、前記第１開口部と前記第２開口部とをそれぞれ独立に若しくは両者同時に開閉可能としたことを特徴とする。
【０００９】
本願の第３の浴室用空調装置は、前記第２の浴室用空調装置において、スチームを噴出可能なノズルを設けたものであることを特徴とする。
【００１０】
本願の第４の浴室用空調装置は、前記第１乃至第３の何れかの浴室用空調装置において、前記開閉手段は、所定の状態にあるときに、前記第１，第２の開口部を閉鎖することを特徴とする。
【００１１】
本願の第５の浴室用空調装置は、前記第４の浴室用空調装置において、前記開閉手段は、第１開口部若しくは第２開口部を開閉する開閉部材と、該開閉部材の開閉動作を行う開閉機構と、該開閉機構を駆動する駆動源と、前記本体ケース内に空気を吸い込む送風機が停止しているときに、前記駆動源を駆動させて前記蓋体により前記第１開口部若しくは前記第２開口部を閉鎖する制御手段とを備えていることを特徴とする。
【００１２】
本願の第６の浴室用空調装置は、前記第１乃至第５の何れかの浴室用空調装置において、前記浴室内にスチームを噴出可能なスチーム発生装置を前記空調装置と一体若しくは別体に設け、前記スチーム発生装置の作動に伴って、前記開閉手段を制御する制御手段を備えたことを特徴とする。
【発明の効果】
【００１３】
本願の第１の浴室用空調装置によれば、送風機を停止させているときに、第１開口部を閉じることによって、空調装置内部に更に高湿度の空気が入り込まないと共に、入り込んだ水分が結露しても、水滴が浴室内に落下することを防止できる。
【００１４】
本願の第２の浴室用空調装置によれば、第１の浴室用空調装置の効果に加えて、循環風路を使用せず、浴室の空気を建物外に排気する排気のみを行っているときに、第２開口部のみを閉じることにより、第２開口部からの水滴の落下を防止できる。
本願の第３の浴室用空調装置によれば、スチーム供給の停止後に、第２開口部を閉じれば、第２開口部からの水滴の落下を防止できる。
【００１５】
本願の第４の浴室用空調装置によれば、所定の条件のときに、第１開口部、第２開口部を閉じれば、状況に応じて水滴落下を防止できる。
【００１６】
本願の第５の浴室用空調装置によれば、送風機の動作状態を自動的に検知して第１開口部や第２開口部を閉じることができる。
【００１７】
本願の第６の浴室用空調装置によれば、空調装置と一体又は別体に設けてもスチームの噴出状態に応じて開閉手段を開閉することにより、空調装置内部にスチームが入り込まないように制御できる。
【発明を実施するための最良の形態】
【００１８】
以下、本発明を実施するための最良の形態を図面に基づいて説明する。
【００１９】
図２は、本発明の浴室用空調装置としての浴室換気装置１を設置する浴室２の状況を示す。浴室２の天井壁３には取付開口部４が形成されており、天井壁３の上部に建物の天井壁５が位置している。浴室換気装置１は取付枠６にネジ止め固定されている。取付枠６にはステー７が形成されており、ステー７に通された取付ボルト８は天井壁５に螺着されて固定されている。浴室換気装置１の側壁に形成された後述する排気口２２（図１（ａ）参照）にはダクト９の一端部が接続され、ダクト９の他端部は建物の外壁に形成された排気口（図示省略）に接続されている。符号１０は浴槽、１１は脱衣場から浴室２に通じる出入口であり、戸１２には通気口となるガラリ１３が形成されている。符号１４は蛇口、符号Ｗはサッシ窓である。浴室換気装置１の浴室天井側には取付開口部４を覆うフロントパネル１５が取り付けられている。
【００２０】
浴室換気装置１は、図１（ａ）に示すように、本体ケース１６の内部に遠心送風ファンからなる送風ファン１７（送風機）と、送風ファン１７の回転軸中心に空気を導入するベルマウス１８を備えたファンケース１９とを備え、ファンケース１９の排気口２０側に排気室２１が設けられている。本体ケース１６の排気室２１の側壁に排気口２２が開口している。排気口２２の外側には筒体状のダクトジョイント２３が取り付けられている。ダクトジョイント２３にはダクト９が取り付けられている。送風ファン１７はモーターＭ１の回転軸に固定されており、モーターＭ１の回転によって回転する。本体ケース１６の上部には制御回路Ｃが設けられており、制御回路Ｃ（図６参照）によってモーターＭ１、後述するヒーターユニット３１、ダンパー用モーターＭ２、開閉板の駆動用モーターＭ３が制御される。
【００２１】
浴室２から吸い込んだ空気をダクト９から建物の外側に排出する送風路２４は、浴室換気装置１において、本体ケース１６の浴室側に形成された吸込口２５とファンケース１９下方の吸込室２６と、ベルマウス１８とファンケース１９内部の空間と排気室２１と排気口２０及びダクトジョイント２３によって構成されている。
【００２２】
吸込室２１の下部には循環風路２７が形成されている。循環風路２７の下部には、送風路２４からの空気を浴室に再度循環させるために、吹出口２８が開口されている。循環風路２７の上部にはダンパー２９が設けられている。ダンパー２９が回転軸３０を中心に回動して角度を変えることによって、循環風路２７が開閉されたり、循環する空気と排気される空気との風量の調整がなされる。ダンパー２９の回転軸３０は図示しないギア機構とこのギア機構を駆動するモーターＭ２（図６参照）により回動して、ダンパー２９は開閉若しくは傾斜角度の調整をする。循環風路２７には、ヒーターユニット３１が設けられており、循環風路２７に送られてくる循環空気を、ヒーターユニット３１によって暖めることができるようになっている。
【００２３】
浴室２の天井壁３には、図２に示すように、スチームを噴出するノズル３２を備えたスチーム発生装置Ｓが配設されている。ノズル３２はパイプ３２Ａ，３２Ｂを介して図示しないスチーム発生装置Ｓに接続されている。尚、このノズル３２は、浴室換気装置１の内部に設置しても良い。この浴室換気装置１内部にノズル３２を設置する場合には、ダンパー２９の下方であって、ヒーターユニット３１の下方に設置することが考えられる。ノズル３２からスチームを放出する場合は、開閉板３５により吹出口３４を開き、ノズル３２からスチームを放出しないときは、送風ファン１７を回転させないときに開閉板３５により吹出口３４を閉じる。スチーム発生装置Ｓは図６に示すコントローラ５２からの命令によりスチームを発生し、ノズル３２から暖められたスチームを浴室２内部に供給可能とされている。
【００２４】
浴室換気装置１は、ダンパー２９を用いて風路を切り換える構造であるが、ダンパー２９を用いずに、換気ファンと循環ファンとを別々に設けるものであっても良い。
【００２５】
フロントパネル１５は、浴室換気装置１を構成する部品であり、この実施の形態では、本体ケース１６にネジにより取り付けられるが、浴室２の天井３にネジにより取り付けても良い。
【００２６】
フロントパネル１５の吸込口２５に対面する位置には、細長い吸込口３３（第１開口部）が多数形成され、フロントパネル１５の吹出口２８に対面する部位には、細長い吹出口３４（第２開口部）が多数形成されている。隣り合う吸込口３３同士の間の距離は、吸込口３３の幅と等しく設定されている。同様に、隣り合う吹出口３４同士の間の距離は、吹出口３４の幅と等しく設定されている。
【００２７】
フロントパネル１５のケース本体１６側の面には、吸込口３３と吹出口３４を開閉する開閉手段としての開閉板３５が、フロントパネル１５の面に沿ってスライド可能に配設されている。開閉板３５には、吸込口３３と吹出口３４を開閉するための、吸込口３６と吹出口３７とが開口されている（図３，図４参照）。吸込口３３と吸込口３６及び吹出口３４と吹出口３７とは、それぞれ、同形同大の形状とされ、また、隣り合う吸込口３６同士の間の距離は、吸込口３６の幅と等しく設定されている。同様に、隣り合う吹出口３７同士の間の距離は、吹出口３７の幅と等しく設定されている。
【００２８】
開閉板３５の一対の長辺部の縁部は、フロントパネル１５に固着されたＬ型断面のガイド３８によって、それぞれスライド可能に支持されており、ガイド３８の長手方向に移動可能になっている。
【００２９】
開閉板３５の一端部には、開閉板３５をスライドさせるためのリンク３９の一端部が結合されている。リンク３９の他端部はリンク４０の一端部に揺動可能に結合されている。リンク３９は支点３９Ａを中心に揺動可能とされている。リンク４０の他端部はアーム４１に結合されている。このアーム４１とリンク４０及びリンク３９は開閉板３５をスライドさせる開閉機構を構成している。
【００３０】
アーム４１は駆動源となるモーターＭ３の回転軸に固定されており、モーターＭ３の回転によってアーム４１が回動すると、リンク４０を介してリンク３９の他端部が回動し、リンク３９の一端部が開閉板３５をスライドさせる。
【００３１】
開閉板３５のリンク３９の結合部の反対側の位置には開閉板３５を引っ張るコイルスプリング４２の一端部が結合され、コイルスプリング４２の他端部はフロントパネル１５の掛止部４２Ａに結合されている。又、開閉板３５のコイルスプリング４２側の縁部近傍には、フロントパネル１５に突設されたストッパー４３が一対形成されており、コイルスプリング４２の引っ張り力により、開閉板３５をストッパー４３側に常時引き寄せるようにしている。
【００３２】
モーターＭ３がアーム４１を回転させるためのトルクは、コイルスプリング４２の引っ張り力に抗して開閉板３５を十分にスライドできるように、大きく設定されているが、アーム４１のトルクを増大させるための減速ギア機構を用いても良い。コイルスプリング４２は必須のものではない。
【００３３】
吸込口３３，３６同士の連通及び閉鎖、並びに吹出口３４，３７の連通及び閉鎖の際に、位置合わせを行うために、開閉板３５のスライドを停止させる位置決め手段は、必須であり、この実施の形態ではストッパー４３が開閉板３５の位置決め手段となる。この実施の形態では、位置決め手段としてのストッパー４３は、コイルスプリング４２側に一つ設けられているが、コイルスプリング４２の反対側の位置にもストッパー４３’を設けることによって、開閉板３５のスライド領域が定められる。
【００３４】
また、開閉板３５をガイド３８に沿って移動させる開閉機構として、リンク３９，４０を用いているが、リンク機構に限るものではなく、例えば、開閉板３５の長手方向の両端部にワイヤー４４を取り付け、フロントパネル１５にワイヤー４４をガイドするプーリ４５を設け、モーターＭ３の回転軸にプーリを取り付け、このプーリにワイヤー４４を巻き付けて、モーターＭ３の回転によりワイヤー４４を移動させて開閉板３５を駆動することもできる。
【００３５】
更に、開閉板３５を一枚の板で構成したが、吸込口３３、３６用の開閉板と、吹出口３４，３７用の開閉板とを別々にスライド可能に設け、モーターＭ３を２個搭載して、上記と同様なリンク機構或いはワイヤー機構をそれぞれの開閉板に取り付け、それぞれ個別に開閉可能に構成しても良い。
【００３６】
また、吸込口３３と吹出口３４の開閉手段として、開閉板３５をスライドさせる機構としたが、後述の実施例に挙げるように、吸込口３３或いは吹出口３４を開閉する蓋体を多数のフィン６１（図８乃至図１３参照）によって形成し、各々のフィン６１の基部を回動可能に軸止し、各々のフィン６１の先端部同士をリンク６３等により連結し、リンク６３を軸方向に往復動させる駆動機構を設けて、吸込口３３或いは吹出口３４を開閉しても良い。
【００３７】
送風ファン１７のモーターＭ１及びダンパー２９の開閉用のモーターＭ２を制御するコントローラ５０（図６参照）はリモートコントローラ５１からの操作ボタンの操作の如何により所定のプログラムを実行する。
【００３８】
例えば、浴室２の空気をダクト９から排気する排気機能を実行するときは送風ファン１７を回転させ、ダンパー２９で循環風路２７を閉鎖する。浴室２の空気を循環風路２７から再度浴室２に循環させる循環機能を実行するときには、ダンパー２９で排気室２１の排気口２２側を閉鎖し、循環風路２７を開いて送風ファン１７を回転させ、ファンケース１９から出てくる空気を循環風路２７から再度浴室２に送風する。
【００３９】
換気機能には、換気モードがあり、循環機能には循環モードがある。暖房モードが選択されるとヒーターユニット３１に通電して、浴室内に温風を吹出して浴室内を暖めることができる。又、換気機能と循環機能を併用した運転モードには乾燥モードと、涼風モードがあり、乾燥モードが選択されると、ヒーターユニット３１に通電すると共に、ダンパー２９が中間位置となり、換気と循環の両方が行われるようになっている。これにより、浴室内を温風が循環すると共に、湿った空気を排気口２２から排気するため、衣類乾燥が行え、浴室を乾燥室として利用できる。又、更に涼風モードが選択されると、ヒーターユニット３１を通電せずに、ダンパー２９を中間位置とし、換気と循環の両方を行うようになっている。これにより、夏場などにおいて涼しく入浴できる。
【００４０】
浴室内にスチームミストを送風するスチーム機能を実行するときには、コントローラ５２からの命令によりスチームを発生し、ノズル３２から暖められたスチームを浴室２内部に供給する。
【００４１】
この浴室換気装置１は、スチーム発生装置Ｓのコントローラ５２（図６参照）と浴室換気装置１のコントローラ５０とが信号線により接続されている。スチーム発生装置Ｓのコントローラ５２がスチームを発生していることを示す信号が、信号線を介してコントローラ５０に送信され、コントローラ５０はこのスチームを発生していることを示す信号をチェックして開閉板３５の開閉を制御する。
【００４２】
すなわち、スチーム発生装置Ｓのコントローラ５２は、リモートコントローラ５３に設けられたスチーム発生命令ボタン（図示省略）のオンを受信して、スチーム発生機能を実行し、スチームをノズル３２からスチームミストを発生して浴室２内部に供給する。このリモートコントローラ５３をリモートコントローラ５１のマイクロコンピュータで構成する一方、コントローラ５０とコントローラ５２を一つのマイクロコンピュータで構成しても良い。
【００４３】
次に、開閉板３５の動作に関してコントローラ５０が行う制御を図７の流れ図を用いて説明する。
【００４４】
コントローラ５０は、浴室換気装置１の動作を常時チェックしている（ステップ１）。このチェックにおいて、送風ファン１７のモーターＭ１の停止と、ダンパー２９が循環風路２７を閉じていることと、ヒーターユニット３１の給電停止と、開閉板３５のモーターＭ３の停止と、スチーム発生装置Ｓの停止をチェックする。
【００４５】
このチェックにおいては、モーターＭ１の停止と、ダンパー２９が循環風路２７を閉じていることと、ヒーターユニット３１の給電停止と、開閉板３５のモーターＭ３の停止と、スチーム発生装置Ｓの停止とが、コントローラ５０のマイクロコンピュータにおいてチェックされる（ステップ１）。このチェックの結果、これらが全て停止状態のとき、コントローラ５０のマイクロコンピュータの命令により、フロントパネル１５の吸込口３３と開閉板３５の吸込口３６同士が閉鎖され、並びに、フロントパネル１５の吹出口３４と開閉板３５の吹出口３７が閉鎖されるように、モーターＭ３を駆動し、吸込口３３、３６同士を閉鎖し、並びに、吹出口３４、３７を閉鎖する（ステップ２）。
【００４６】
次に、ステップ１のチェックにおいて、浴室換気装置１の動作が送風ファン１７のモーターＭ１が回転している（送風ファン１７が２４時間換気を一時停止している場合を含む）か否かをチェックし（ステップ３）、送風ファン１７のモーターＭ１が停止しているときには、ステップ２に戻り、吸込口３３、３６同士を閉鎖し、並びに、吹出口３４、３７を閉鎖する。
【００４７】
２４時間換気機能とは、住宅全体で必要な換気回数若しくはその一部を満たすように連続的又は断続的に常時換気を行う機能である。
【００４８】
ステップ３において、送風ファン１７のモーターＭ１が回転しているときには、ダンパー２９が循環風路２７を開閉しているか否かにかかわらず、並びに、ヒーターユニット３１が発熱しているかどうかにかかわらず、ステップ４に移る。
【００４９】
すなわち、ダンパー２９は送風ファン１７が回転しているときに、循環風路２７の開閉を行うことができ、循環風路２７が開いているときに、ヒーターユニット３１は給電して循環空気を暖めることも、給電せずに循環空気をそのまま浴室に戻すことも可能であるので、モーターＭ１が回転して送風ファン１７が回転しているときのみ、ステップ４に移ることができる。
【００５０】
尚、送風ファン１７が回転しているときに、ダンパー２９が循環風路２７を閉じていれば、浴室２の室内空気を排気している排気状態であるので、開閉板３５は開いていなければならない。送風ファン１７が回転しているときに、ダンパー２９が循環風路２７を開いていれば、循環状態であるので、開閉板３５は開いていなければならない。
【００５１】
ステップ４では、浴室換気装置１とスチーム発生装置Ｓとがスチーム供給動作を行っているかどうかを、コントローラ５２からの信号線を介してコントローラ５０のマイクロコンピュータがチェックする。スチーム供給を行っていないときには、ステップ５に移行し、吹出口３４を開けるように、開閉板３５をスライドさせる。
【００５２】
ステップ４のチェックにおいて、スチーム供給を行っている信号がコントローラ５０に入っているときには、ステップ２に移って吹出口３４を閉じるように開閉板３５を閉じる。
【００５３】
ステップ５では、開閉板３５を開けて吸込口３３、３６同士を開き、並びに、吹出口３４、３７を開く。
【００５４】
送風ファン１７が回転してダンパー２９が循環風路２７を開いている場合は、浴室内空気の循環状態であり、この循環状態においてヒーターユニット３１で加熱しているときは暖房状態となるので、いずれも開閉板３５は開けておく必要がある。ステップ５にて開閉板３５を開けたら、再びステップ１に戻ってチェックを行う。
【００５５】
すなわち、スチームがノズル３２から供給されているときは、浴室換気装置１内部に結露が発生すると好ましくないので、浴室換気装置１は吸込口３３及び吹出口３４を閉じるように開閉板３５を移動させ、浴室換気装置１内部に水分が入り込むことを防止する。開閉板３５により吸込口３３、３６及び吹出口３４，３７は連係して動く構造であるが、それぞれ、開閉板３５を別々に設けて独立した開閉機構により開閉するようにしても良い。
【００５６】
この実施の形態の浴室換気装置１（浴室用空調装置）では、上述のように、浴室２に臨む吸込口２５から空気を吸い込んで浴室外側に接続される排気口２２から空気を浴室外に送風する送風路２４を本体ケース１６に形成し、送風路２４に送風ファン１７を設置し、本体ケース１６の浴室側に、排気口２２に通ずる吸込口３３（第１開口部）を備えたフロントパネル１５を設置するようになっており、フロントパネル１５に、第１開口部である吸込口３３を開閉可能な開閉手段としての開閉板３５を設けたことに特徴がある。
【００５７】
この開閉手段は、コントローラ５０に制御されるモーターＭ３とアーム４１とリンク３９，４０を備えたものであるが、手動であっても良い。開閉板３５はフロントパネル１５の浴室側の面に設けても良い。
【００５８】
又、この浴室換気装置１は、本体ケース１６に、送風路２４の送風ファン１７の下流側から再び浴室側に送風可能な循環風路２７とダンパー２９を設置し、循環風路２７の浴室側に循環用の吹出口２８を形成し、フロントパネル１５に、吹出口２８に通ずる吹出口３４（第２開口部）を設け、開閉手段となる開閉板３５が吸込口３３と吹出口３４とをそれぞれ独立に若しくは両者同時に開閉可能であることを特徴とする。
【００５９】
フロントパネル１５の開閉板３５が、吸込口３３を塞いで循環用の吹出口３４を開くことは実用的ではないが、吹出口３４を塞いで吸込口３３のみを開く場合には、吸い込んだ浴室内の空気を循環させないで排気のみ行うことができるので、水滴の落下を防止するという利点がある。送風ファン１７で排気しているとき、吸込口３３から吸い込まれる空気は排気されるので、浴室内に水滴が落下する恐れはない。送風ファン１７が停止しているときは吸込口３３と吹出口３４の両者を開閉板３５で閉鎖すれば、どちらの開口部からも水滴の落下は生じない。
【００６０】
この実施の形態の浴室換気装置１において、吸込口３３、吹出口３４を独立に若しくは連動させて開閉することによって、吸込口３３、吹出口３４からの水滴の落下を防止できる。
【００６１】
更に、この浴室換気装置１は所定の状態にあるとき（浴室換気装置１が停止しているとき、送風ファン１７が停止しているとき）に、吸込口３３、吹出口３４を閉鎖することにも特徴がある。また、送風ファン１７が回転しているものの循環風路２７が閉じているときに、吹出口３４のみを閉鎖することもできる。
【００６２】
又、この浴室換気装置１は、開閉手段は第１開口部若しくは第２開口部を閉じたり開いたりする開閉板３５（蓋体）と、開閉板３５を開閉動作させるガイド３８，リンク３９，４０，アーム４１（開閉動作機構）と、この開閉動作機構を駆動する駆動源であるモーターＭ３と、送風ファン１７の回転又は停止を検出する検出手段（コントローラ５０）とを備え、コントローラ５０が、モーターＭ１への停止命令を出しているときに、モーターＭ３を駆動させて開閉板３５により吸込口３３、吹出口３４を閉鎖するコントローラ５０（制御装置）とを備えていることにも特徴がある。このようなコントローラ５０を備えることによって、開閉板３５を自動的に開閉できる。
【実施例】
【００６３】
図１（ｂ）は、ノズル３２をヒーターユニット３１の下方に設置した図を示している。この図では、ノズル３２の下方に、液漏れ防止板としての機能を有する開閉板３５を設けており、ノズル３２からスチームを発生するときは開閉板３５を開けてスチームを浴室に噴霧し、ノズル３２からスチームを発生しない時は開閉板３５を閉じてスチームの液だれを防止して、入浴者に水滴が落ちないようになっている。勿論、スチームを発生せずに、浴室空気の循環の時は開閉板３５を開けることはいうまでもなく、スチーム発生モードの時には、開閉板３５を開け、スチーム発生モードが終了したときに、開閉板３５を閉じる。
【００６４】
なお、図１（ｂ）に示すように、ノズル３２を浴室換気装置１のヒーターユニット３１の下方と開閉板３５との間に設ける場合、制御の流れは図７の流れ図のステップ１からステップ３までは同様であるので、図１（ａ）の浴室換気装置１の制御についての説明を援用する。図１（ｂ）の浴室換気装置１の場合、ステップ３の後の図示しないステップ４’ではスチーム発生装置Ｓが作動させてスチームを発生するか否かを判別する。ステップ４’において、スチームを発生させない或いは発生させていない状態である（スチーム発生装置Ｓを動作させない若しくは動作させていない）場合には、ステップ２に戻り、吹出口３４を閉じるように開閉板３５を閉じる。ステップ４’において、スチームを発生させる若しくは現に発生させた状態である（スチーム発生装置Ｓを動作させている若しくは現に動作している）場合には、ステップ５に移行し、吹出口３４を開けるように開閉板３５を開ける。ステップ２又はステップ５の後はスタートに戻る。
【００６５】
更に、スチーム発生装置Ｓは、送風用のファンを備えた構造でも良く、スチームが浴室内に供給できるようになっていれば良い。
【００６６】
図８乃至図１３は、開閉手段の他の実施例を示す。これらの図のフロントパネル１５は吸込口３３近傍の一部のみを示すものである。吸込口３３の長手方向に位置する一対の縁部には軸受け部６０がそれぞれ形成されており、一対の軸受け部６０の相対する対向面には、軸受け穴（図示省略）が形成されている。この一対の軸受け部６０の軸受け穴には蓋体となるフィン６１の基部が回動自在に保持される。フィン６１の基部と自由端部間の長さは吸込口３３を十分に閉鎖できる長さを有している。フィン６１の基部の長手方向の両端部には取付軸（図示省略）が形成されており、この取付軸が前記軸受け穴に保持される。
【００６７】
フィン６１の自由端部の長手方向の両端部には、リンク６２、６３に連結する連結軸（図示省略）が突設されており、この連結軸にリンク６２，６３が回動自在に取り付けられている。リンク６２、６３の何れか一方には、リンク６４が回動自在に連結されており、リンク６４に往復動可能なリンク６５の一端部が連結されている。リンク６５の中間部は軸受け６６にスライド自在に保持されており、リンク６５の他端部はモーターＭ４の回転軸に固定されたアーム６６に連結されている。モーターＭ４は一対の突起６８に固定されており、モーターＭ４はその回転軸がフロントパネル１５側に向けられるように、取り付けられている。モーターＭ４はリレーを介して浴室換気装置１の電源回路に接続されており、モーターＭ４のリレーはコントローラ５０の制御によってモーターＭ４を正転、若しくは、逆転させる。
【００６８】
フロントパネル１５の吸込口３３は、図１０に示すように、フィン６１をフロントパネル１５に沿うように倒すことによって閉鎖される。フィン６１は、モーターＭ４を例えば正転させて、リンク６５を吸込口３３から遠ざける方向にアーム６７を回転させる。これによって、リンク６４がリンク６３をモーターＭ４側に引き寄せ、フィン６１が吸込口３３を閉鎖する。
【００６９】
又、図１０の状態から、モーターＭ４を例えば逆回転させて、リンク６５を吸込口３３に近づける方向にアーム６７を回転させると、図９に示すように、リンク６４がリンク６３をモーターＭ４から遠ざけるように移動させ、フィン６１が吸込口３３を開く。
【００７０】
図１１、図１２は、吹出口３４にフィン６１、リンク６２，６３，６４，６５を取り付けたものであり、図１１，１２に示すように、モーターＭ４に同様なモーター（図示省略を設置することによって、吹出口３４のフィン６１の傾斜角度を調節することができる。この場合、フィン６１はルーバーの機能を果たすこととなり、フィン６１の傾斜角度の変更及び傾斜角度の維持はコントローラ５０の制御により行う。
【００７１】
例えば、乾燥時等において吹出口３４からの乾燥風や暖風の向きを浴室２内部において、自在に変えたり、フィン６１を揺動させて、浴室２内部の空気流を変える事ができる。
【００７２】
このように、フィン６１の傾斜角度を変えて傾斜姿勢を維持若しくは揺動することによって、浴室２長手方向にランドリーパイプ（図示省略）が設置され、ランドリーパイプの軸方向に多数の衣類が干されても、干された衣類全体或いは浴室壁面全体に乾燥した空気が供給され、洗濯物全体或いは浴室壁面全体が均一に乾燥されることとなる。又、衣類乾燥時以外でも、暖房若しくは涼風供給の際に、浴室全体に空気流が流れるので、暖房・涼風が供給されるため、快適な入浴を提供することができる。
【００７３】
図１３は、フロントパネル１５の浴室２に露出する面側の吹出口３４に、フィン６１を設けたものである。このようにフロントパネル１５の外側の吹出口３４の縁部にフィン６１を設けると、フィン６１の大型化も容易となり、吹き出す空気の風向きを変更する機能（ルーバー機能）が更に向上する他に、フロントパネル１５の厚さを薄くできる他、フロントパネル１５に対して後付けでもフィン６１を設置できることとなると共に、風向きの目視確認ができるので、浴室乾燥や衣類乾燥時の風向き制御が容易なものとなる。
【産業上の利用可能性】
【００７４】
本願の浴室用空調装置は、浴室において浴室用空調装置から水滴が落下することを防止して快適性や乾燥時の衣類への付着を防止するという機能性を向上させるものである。
【図面の簡単な説明】
【００７５】
【図１】図１（ａ）は本発明の実施の形態にかかる浴室換気装置の主要部の構成を示す断面図である。図１（ｂ）は本発明の他の実施の形態にかかる浴室換気装置の主要部の構成を示す断面図である。
【図２】図１の浴室換気装置の浴室天井部における設置状態を示す概念図である。
【図３】図１の浴室換気装置のフロントパネルの表面側の主要構成を示す図である。
【図４】図１の浴室換気装置のフロントパネルの裏面側の主要構成を示す図である。
【図５】図４のフロントパネルに設置される開閉板の主要構成を示す図である。
【図６】図１の浴室換気装置のコントローラとスチーム発生装置のコントローラとを接続する信号線を示す概念図である。
【図７】図１の浴室換気装置の開閉板を開閉する際の手順を示す流れ図である。
【図８】図１のフロントパネルの開閉手段をフィンで構成した状態の概念図である。
【図９】図８のフィンを倒して吸込口を閉じた状態を示す概念図である。
【図１０】図８のフィンを倒して吸込口を閉じた状態を示す概念図である。
【図１１】図８のフィンを傾斜させて吹出口を開いた状態を示す概念図である。
【図１２】図８のフィンを図１１の反対側に傾斜させて吹出口を開いた状態を示す概念図である。
【図１３】図１のフロントパネルの開閉手段をフィンで構成し、フロントパネルの浴室側に設置した状態の概念図である。
【符号の説明】
【００７６】
１  浴室換気装置（浴室用空調装置）
２  浴室
３  浴室の天井
１５  フロントパネル
１６  本体ケース
３２  スチーム供給用のノズル
３３  吸込口
３４  吹出口
３５  開閉板（開閉部材）
３６  吸込口（第１開口部）
３７  吹出口（第２開口部）
３９  リンク（開閉機構）
４０  リンク（開閉機構）
４１  アーム（開閉機構）
Ｍ１  送風ファンのモーター
Ｍ２  ダンパー駆動用のモーター
Ｍ３  開閉板駆動用のモーター
５０  浴室換気装置のコントローラ
５１  リモートコントローラ
５２  スチーム発生装置のコントローラ
６１  フィン（開閉部材）
６３、６４，６５  リンク（開閉機構）
６７  アーム（開閉機構）
Ｍ４  フィン駆動用のモーター
Ｓ    スチーム発生装置
【図１】
2005172320.tif 000003
【図２】
2005172320.tif 000004
【図３】
2005172320.tif 000005
【図４】
2005172320.tif 000006
【図５】
2005172320.tif 000007
【図６】
2005172320.tif 000008
【図７】
2005172320.tif 000009
【図８】
2005172320.tif 000010
【図９】
2005172320.tif 000011
【図１０】
2005172320.tif 000012
【図１１】
2005172320.tif 000013
【図１２】
2005172320.tif 000014
【図１３】
2005172320.tif 000015